【手続補正書】
【提出日】平成26年7月16日(2014.7.16)
【手続補正１】
【補正対象書類名】明細書
【補正対象項目名】全文
【補正方法】変更
【補正の内容】
【発明の詳細な説明】
【発明の名称】光学検査用窓を有する光学検査用ベース
【技術分野】
【０００１】
本発明は、例えば光学検査を必要とする検査物を導電性と気密性を保つことの出来る状態で光学検査する場合に使用される光学検査用窓を有する光学検査用ベースに関する。
【背景技術】
【０００２】
光学検査を必要とする検査物を光学検査する場合には光源体と光学検査ユニットとの間に透過性窓を有する光学検査用ベースが必要となる。この光学検査用ベースの主構造としては例えばガラス又は無機質結晶体の透過面を除く表面に合成樹脂材を接合して両者を一体化するものが通常適用される。この場合、ガラス等と合成樹脂材とが完全に一体化すること及びその接合部が平坦であることが要求される。
【０００３】
ガラス又は無機質結晶体と合成樹脂材とを一体的に接合する手段としては従来より各種の公知手段が開示されているが、この手段としては接合部に接着剤１５を用いるもの（図８に示す）や接合部に粗面１６を形成するもの（図９に示す）ものがあり、これに関連する先行技術としては例えば「特許文献１」乃至「特許文献１０」が挙げられる。
【先行技術文献】
【特許文献】
【０００４】
【特許文献１】特開２００２−７９６１１号公報
【特許文献２】特開２０１０−６４３９７号公報
【特許文献３】特開２００７−１０８０９１号公報
【特許文献４】特開２０１０−３２４８７号公報
【特許文献５】特開２００９−８０１１９号公報
【特許文献６】特開２００９−１０６７８４号公報
【特許文献７】特開２０１０−１４５８９号公報
【特許文献８】特開２００５−１７２６６６号公報
【特許文献９】特開２００４−２６９８７８号公報
【特許文献１０】特開２００７−１１２０４１号公報
【０００５】
「特許文献１」の「特開２００２−７９６１１号」は「ガラスと樹脂の一体構造体及びその製造方法」を示すものであり、ウレタン系接着剤をガラスに塗布して樹脂材と接合する一般的の接着剤使用の技術が開示されているものであるが、その一体化の接合強度や平坦性については特に開示しているものではなく、本発明とは相異する。なお、この方法で使用されている接着剤はカーボンファイバーを入れた樹脂材には適用されず、従ってこの点においても本発明と相異する。
【０００６】
また、「特許文献２」の「特開２０１０−６４３９７号」の「金属と樹脂の複合体及び製造方法」はミクロンオーダの粗度を有する粗面を形成して接合強度を増加させる技術が開示されているが、この接合技術では一体化強度の問題や平坦性の問題が解決されず本発明とは大きく相異するものである。また、この方法は金属に対しては適用されるが、ガラス又は無機質結晶体に対しては適用が無理であり、この点においても本発明と相異する。
【０００７】
また、「特許文献３」の「特開２００７−１０８０９１号」は、顕微鏡観察に使われるウエルスライドに関するものであり、板状の樹脂基材と接着剤を使いガラスプレートを張り合わせたものに過ぎないものである。また、基材としても石英ガラス、ホウ珪酸ガラス、シクロオレフィン樹脂、ポリカーボネート樹脂、アクリル樹脂、シリコン樹脂等からなるものであり、シランカップリング剤は使用していないものであり、この構造では導電性、耐熱性、ガス機密性、長期耐久性を必要とする構造材料の用途には適さないものである。本発明は例えば、ガラスプレートに合成樹脂の熱可塑性又は熱硬化性を利用したインサート成形法で合成樹脂材とガラス又は無機質結晶体との化学的な結合を形成し、両部材の線膨張特性を同じにして導電性、耐久性、耐薬品性、ガス気密性、液体気密性、長期耐久性を持つ構造材料であり「特許文献３」はこれと相違するものである。
【０００８】
また、「特許文献４」の「特開２０１０−３２４８７号」は、微量な検体を生化学的解折に使うためのウエルスライドであるが、このものは光学検査用の光透過の窓を有していないものであり本発明とは別の技術である。
【０００９】
また、「特許文献５」の「特開２００９−８０１１９号」は、生物学的又は生化学的サンプルの樹脂容器に関するものであり、導電性、耐熱性、長期耐久性を必要とする構造材料でなく、試料の解折、分析等の容器としてインサート成形法を含む樹脂の射出成形でも製造される消耗材料であり本発明と異なる。
【００１０】
また、「特許文献６」の「特開２００９−１０６７８４号」は、血液試料採取用容器についてで、導電性、耐久性、長期耐久性を必要とする構造材料でなく、試料の解折、分析等の容器としてインサート成形法を含む樹脂の射出成形でも製造される消耗材料であり本発明と異なる。
【００１１】
また、「特許文献７」の「特開２０１０−２１４５８９号」はガラス繊維のように、分散させることが容易な繊維を開示しているが、カーボン繊維については、開示できていない。通常カーボン繊維１０％から２０％を樹脂に均一に分散させる技術はかなり困難である。本発明は、炭素繊維と合成樹脂の複合完成品を６００℃乃至１０００℃で焼成処理して生成したものを使用することにより、合成樹脂材の線膨張係数をガラス又は無機質結晶体の線膨張係数と同じにし、かつ導電性、耐熱性、耐薬品性、ガス気密性、液体気密性、長期耐久性を有するものとした技術を開示するものであり、特許文献７に記載の技術は本発明と異なる。
【００１２】
また、「特許文献８」の「特開２００５−１７２６６６号」は、基材と基材の間の接合についての性能を強く規定する必要のない光分析器についてであり、本発明のように導電性、耐熱性、耐薬品性、ガス気密性、液体気密性、長期耐久性を発現するものとは大きく異なるものである。
【００１３】
また、「特許文献９」の「特開２００４−２６９８７８号」は、繊維強化複合材料に関してであり、積層により異なる基材をプレス成形により接合構造を得る方式であり、本発明とは異なる。
【００１４】
また、「特許文献１０」の「特開２００７−１１２０４１号」は、酸素濃度が０．０５乃至５Ｗｔ％であり、本発明と技術的内容が異なるものである。
【発明の概要】
【発明が解決しようとする課題】
【００１５】
前記のように光学検査用の検査物を検査する場合に使用される光学検査用ベースとしてはガラス又は無機質結晶体と成形用合成樹脂材とが完全に一体化されて気密性を有すること及びガラス又は無機質結晶体と成形用合成樹脂材の接合部が平坦であることが必要である。
【００１６】
しかし、ガラス又は無機質結晶体と成形用合成樹脂材を用いて、例えば図１に示すような光学検査用ベースの成形を行う場合、成形用合成樹脂材への長繊維のカーボン繊維の混合分散が困難であることからも、ガラス又は無機質結晶体と成形用合成樹脂材の接合部においてガラス又は無機質結晶体と成形用合成樹脂材の一体化が不充分であり、極めて脆弱な状態となる問題点があり、この解決が要請されていた。
【００１７】
本発明は、この要請に鑑みて発明されたものであり、ガラス又は無機質結晶体と成形用合成樹脂材が一体化されて気密性を有することが出来る光学検査用窓を有する光学検査用ベースを提供することを目的とする。又、ガラス又は無機質結晶体と成形用合成樹脂材の接合部が平坦であることが出来る光学検査用窓を有する光学検査用ベースを提供することを目的とする。
【課題を解決するための手段】
【００１８】
本発明は、ガラス又は無機質結晶体と炭素繊維を含有した合成樹脂材とで構成される複合材料をインサート成形で一体結合してなる光学検査用窓を有する光学検査用ベースであり、合成樹脂材の線膨張係数をガラス又は無機質結晶体の線膨張係数と同じにし、かつ導電性、耐熱性、耐薬品性、ガス気密性、液体気密性、長期耐久性を有する、ガラス又は無機質結晶体と合成樹脂との一体の成形品を確立する技術である。
【００１９】
前記目的を達成するための本発明は、光学検査用窓を構成するガラス又は無機質結晶体と成形用合成樹脂材とを一体化して形成される光学検査用ベースであって、前記成形用合成樹脂材は、炭素繊維強化プラスチックを不活性雰囲気中で６００〜１０００℃で焼成処理して得た回収炭素繊維を含有し、前記ガラス又は無機質結晶体と前記成形用合成樹脂材間の前記ガラス又は無機質結晶体の表面には、官能基としてメタクリロキシを有するシランカップリング剤による層を有することを特徴とする光学検査用窓を有する光学検査用ベースである。
【００２０】
また、上記光学検査用窓を有する光学検査用ベースにおいて、前記回収炭素繊維は、炭素繊維強化プラスチック原料もしくは成形品を焼成処理し、マトリックスを除去して得たことを特徴とする光学検査用窓を有する光学検査用ベースである。
【００２１】
また、上記光学検査用窓を有する光学検査用ベースにおいて、前記成形用合成樹脂材は、前記回収炭素繊維を５〜２０％含有することを特徴とする光学検査用窓を有する光学検査用ベースである。
【００２２】
また、上記光学検査用窓を有する光学検査用ベースにおいて、前記成形用合成樹脂材は、ガラス繊維又は／及び前記回収炭素繊維以外のカーボン素繊維を含有することを特徴とする請求項１から３のうちいずれか１項に記載の光学検査用窓を有する光学検査用ベースである。
【００２３】
また、上記光学検査用窓を有する光学検査用ベースにおいて、前記回収炭素繊維の長さが３０〜６００μｍであり、前記回収炭素繊維のアスペクト比（回収炭素繊維長さ／回収炭素繊維直径）が４〜１００であることを特徴とする請求項１から４のうちいずれか１項に記載の光学検査用窓を有する光学検査用ベースである。
【００２４】
また、上記光学検査用窓を有する光学検査用ベースにおいて、前記ガラス又は無機質結晶体を載置した金型内に前記成形用合成樹脂材を注入し、前記ガラス又は無機質結晶体と前記成形用合成樹脂材とをインサート成形により一体的に形成したことを特徴とする請求項１から５のうちいずれか１項に記載の光学検査用窓を有する光学検査用ベースである。
【発明の効果】
【００２５】
本発明の光学検査用窓を有する光学検査用ベースによれば、成形用合成樹脂材を用いてガラス又は無機質結晶体との線膨張係数を同じにし、ガラス又は無機質結晶体と成形用合成樹脂材とを確実に一体化することが可能となった。又、ガラス又は無機質結晶体と成形用合成樹脂材が一体化されてガス気密性及び液体気密性を確保することが出来た。又、導電性、耐熱性、耐薬品性及び長期耐久性を有することが出来た。又、まったくソリ及び変形がない高精度な光学検査用ベースを提供することが出来た。
【００２６】
更に、前記成形用合成樹脂材を構成する炭素繊維の長さを３０乃至６００μｍ、アスペクト比を４乃至１００としたので、炭素繊維の経済的な添加率で、成形用合成樹脂材の熱膨張率を適切に制御することが可能となり、このような炭素繊維を使用することにより、成形用合成樹脂材内での炭素繊維の好適な分散状態を容易に得ることが出来た。
【図面の簡単な説明】
【００２７】
【図１】本発明の光学検査用窓を有する光学検査用ベースの１つの実施例を示すものであり、（ａ）は平面図、（ｂ）は背面図、（ｃ）は（ａ）のＡ−Ａ線断面図。
【図２】光学検査用窓を有する光学検査用ベースを射出成形するための金型の断面図であり、（ａ）は成形用平面部使用金型及び成形用背面部使用金型であり、（ｂ）はこの金型を用いて成形された光学検査用窓を有する光学検査用ベースの全体構造を示すもので図１（ｃ）と同一のものである。
【図３】ガラス又は光透過性結晶部材にシランカップリング剤を塗布した状態を示す断面図であり、（ａ）はその全体図であり、（ｂ）は（ａ）のｂ部の拡大図である。
【図４】（ａ）はシランカップリング剤を塗布していないガラス又は無機質結晶体の組成及びその表面の化学的状況を示したものであり、（ｂ）は（ａ）の表面にシランカップリング剤を塗布した状態におけるシランカップリング剤処理表面における化学的状況を示したものである。
【図５】光学検査用の検査物として半導体を採用した場合の本発明の光学検査用窓を有する光学検査用ベースの適用実施例を示す断面図。
【図６】光学検査用の検査物としてＤＮＡ検査液を採用した場合の本発明の光学検査用窓を有する光学検査用ベースの適用実施例を示す断面図。
【図７】光学検査用の検査物としてフィルムを用いた場合の本発明の光学検査用窓を有する光学検査用ベースの適用実施例を示す断面図。
【図８】合成樹脂材とガラスとを接着剤で一体化した従来技術の概要構造を示す断面図。
【図９】ガラスの接合面に粗面を形成して樹脂材と一体化した従来技術の概要構造を示す断面図。
【発明を実施するための形態】
【００２８】
以下、本発明の光学検査用窓を有する光学検査用ベースの実施の形態を図面を参照して詳述する。本発明はガラス又は無機質結晶体とカーボン繊維を含有した成形用合成樹脂材をインサート成形で一体結合してなる光学検査用窓を有する光学検査用ベースであり、合成樹脂材の線膨張係数をガラス又は無機質結晶体の線膨張係数と同じにし、合成樹脂材とガラス又は無機質結晶体を結合させて、ガス気密性及び液体気密性を持たせ、かつ導電性、耐熱性、耐薬品性、長期耐久性を持たせたガラス又は無機質結晶体と合成樹脂が一体の成形品である。
【００２９】
本発明において、成形用合成樹脂材に含有される炭素繊維は、炭素繊維の表面に官能基を有する炭素繊維を使用する。この官能基は、ガラス又は無機質結晶体に塗布されるシランカップリング剤に親和的な結合を形成する表面官能基であることが望ましい。
【００３０】
又、炭素繊維としては、合成樹脂及びガラス繊維と混練する時に、均一に分散出来るように、炭素繊維が分散性を有する必要がある。
【００３１】
本発明に用いる炭素繊維は、炭素繊維と合成樹脂の複合完成品を６００〜１０００℃で焼成処理して生成した炭素繊維を使用する。特に、本発明に用いる炭素繊維は、特殊用途に用いられる高強度の炭素繊維強化プラスチック（以下、「ＣＦＲＰ」という。）に含まれる炭素繊維を焼成処理して再利用した回収炭素繊維を用いることが出来る。このような処理は炭素繊維の表面に機能性材料をコーティングして高温焼成処理したものでも良い。なお、再生炭素繊維であれば、価格的に経済性に優れた材料として用いることが出来る。
【００３２】
即ち、炭素繊維は、ＣＦＲＰ原料もしくはＣＦＲＰの成形品を不活性雰囲気中で６００℃乃至１０００℃で焼成処理し、マトリックスを除去して得た回収炭素繊維を用いることが出来る。
【００３３】
又、ガラス又は無機質結晶体は、官能基としてメタクリロキシを有するシランカップリング剤による層を界面に有するものからなり、光学検査用ベースは成形用合成樹脂材とガラス又は無機質結晶体とをインサート成形により化学的にも結合させて形成される。
【００３４】
また、成形用合成樹脂材は、混練工程で分散性の付与機能の分極性の発現と繊維の表面に官能基が残存するところの回収炭素繊維を５％乃至２０％含有させ、それに加えてガラス繊維、回収炭素繊維以外の一般の炭素繊維を含有させることにより、成形用合成樹脂材の線膨張係数とガラス又は無機質結晶体の線膨張係数を概略同じにすることにより、成形用合成樹脂材とガラス又は無機質結晶体をインサート成形により一体的に化学的に結合して形成することが出来る。
【００３５】
また、成形用合成樹脂材に含有される炭素繊維の長さが３０乃至６００μｍの範囲にあり、アスペクト比（炭素繊維長さ／炭素繊維直径）が４乃至１００であることが好ましい。炭素繊維の経済的な添加率で成形用合成樹脂材の熱膨張率を適切に制御することが可能となり、このような炭素繊維を使用することにより、成形用合成樹脂材内での炭素繊維の好適な分散状態を容易に得ることが出来るからである。
【００３６】
本発明の光学検査用窓を有する光学検査用ベースは、ガラス又は無機質結晶体の光学検査用窓として機能する部位を除き、表面にシランカップリング剤を塗布したガラス又は無機質結晶体を金型内に載置し、回収炭素繊維を含有する成形用合成樹脂材を注入して、ガラス又は無機質結晶体の光学検査用窓として機能する部位を除き、ガラス又は無機質結晶体と回収炭素繊維を含有する成形用合成樹脂材とを一体化して形成する。
【００３７】
成形用合成樹脂材としては熱可塑性樹脂又は熱硬化性樹脂を用いることが出来、更に、エンジニアリングプラスチックの活用が出来、ポリカーボネート、ポリフェニルエーテルヒドロキシ基、エポキシ基、ウレタン基、アクリル基などの官能基を含有する合成樹脂も用いることが出来る。また、炭素繊維の他カーボンフレークやカーボン粒子も用いることが出来る。また、実施例で示す検査物以外にも、薄化半導体分野、液状物質、フイルム物質、紙幣を検査物とすることが出来る。
【実施例１】
【００３８】
図１（ａ）、（ｂ）は光学検査用窓を有する光学検査用ベースの１つの実施例である、成形用合成樹脂材からなる樹脂枠１とガラス５又は無機質結晶体で構成される半導体検査用の光学検査用ベースを示す。この成形用合成樹脂材からなる樹脂枠１には複数の（図示では６３ヶ所）被検査半導体挿入部４が凹設され、被検査半導体挿入部４の中央には光学検査窓３が形成されている。また、図１（ｃ）に示すように成形用合成樹脂材からなる樹脂枠１の上下方向の中間部にはガラス５又は無機質結晶体が介設され、前記の光学検査窓３を形成している。このガラス５又は無機質結晶体と成形用合成樹脂材との接合部は気密性を有した状態で一体化されている。また、図１（ａ）に示すように、成形用合成樹脂材からなる樹脂枠１の連結用孔２が設けられ、図示の実施例では４ヶ所穿孔されている。
【００３９】
図２（ａ）は図１に示す成形用合成樹脂材からなる樹脂枠１とガラス５又は無機質結晶体で構成される半導体検査用の光学検査用ベースを射出成形するための金型の上型と下型を示す断面図で、成形用平面部位用金型６と成形用背面部位用金型７を示している。また、成形用合成樹脂導入孔８が形成されている。尚、図２（ｂ）は図１（ｃ）と同様な図面であり、半導体検査用の光学検査用窓を有する光学検査用ベースの全体構造を示す断面図である。
【００４０】
図３（ａ）は、ガラス５又は無機質結晶体の成形用合成樹脂材からなる樹脂枠１との接合部、即ち、ガラス又は無機質結晶体と成形用合成樹脂材間のガラス又は無機質結晶体の表面に塗布されたシランカップリング剤９を示し、図３（ｂ）は図３（ａ）のｂ部位の拡大模式図である。
【００４１】
図４（ａ）はシランカップリング剤を塗布していないガラス又は無機質結晶体の組成及びその表面の化学的状況を示したものであり、図４（ｂ）は図４（ａ）の表面にシランカップリング剤を塗布した状態におけるシランカップリング剤処理表面における化学的状況を示したものである。
【実施例２】
【００４２】
図５は、光学検査用の検査物として半導体１２を採用した場合の本発明の光学検査用窓を有する光学検査用ベースの適用実施例を示す部分断面図である。光学検査ユニット用筐体１２内に光学検査ユニット１０が設置され、光学検査ユニット用筐体１２上部に半導体１２が収納された光学検査用ベースが設置されている。
【実施例３】
【００４３】
図６は、光学検査用の検査物としてＤＮＡ検査液１３を採用した場合の本発明の光学検査用窓を有する光学検査用ベースの適用実施例を示す部分断面図である。
【実施例４】
【００４４】
図７は、光学検査用の検査物としてロール間を走るフィルム１４を用いた場合の光学検査用ベースの実施例を示すものである。このような光学検査用ベースでは、紙幣がガラス５又は無機質結晶体の上面を通過して光学検査される。
【００４５】
本発明の光学検査用窓を有する光学検査用ベースは前記の実施例の他に各種の検査物に適用されることは勿論である。また、本発明は、以上の説明の内容に限定されるものではなく同一技術的範疇のものが適用されることは勿論である。
【産業上の利用可能性】
【００４６】
本発明による合成樹脂材とガラス又は無機質結晶体との結合技術により、圧力容器、防爆装置等への応用展開も可能であり、ガラス又は無機質結晶体と一体化した成形品は広範囲な温度範囲（−２０乃至１５０）で長期にわたり（７から１０年）まったくソリ、変形なく高精度な光学特性を有するガラス樹脂一体の構造部材として、産業上、装置設計開発の分野への利用が出来、その利用範囲は極めて広い。また、検査物としては実施例に記載の他に薄化半導体分野や液状物質やフィルム物質にも適用され、その利用分野は極めて広い。
【符号の説明】
【００４７】
１     成形用合成樹脂材からなる樹脂枠
２     連結用孔
３     光学検査窓
４     被検査半導体挿入部
５     ガラス又は無機質結晶体
６     成形用平面部位用金型
７     成形用背面部位用金型
８     成形用合成樹脂導入孔の位置
９     ガラス又は無機質結晶体の成形用合成樹脂材との接合部に塗布されているシランカップリング剤
１０   光学検査ユニット
１１   光学検査ユニット用筐体
１２   半導体
１３   ＤＮＡ検査液
１４   フィルム
１５   接着剤
１６   粗面
【手続補正２】
【補正対象書類名】特許請求の範囲
【補正対象項目名】全文
【補正方法】変更
【補正の内容】
【特許請求の範囲】
【請求項１】
光学検査用窓を構成するガラス又は無機質結晶体と成形用合成樹脂材とを一体化して形成される光学検査用ベースであって、前記成形用合成樹脂材は、炭素繊維強化プラスチックを不活性雰囲気中で６００〜１０００℃で焼成処理して得た回収炭素繊維を含有し、前記ガラス又は無機質結晶体と前記成形用合成樹脂材間の前記ガラス又は無機質結晶体の表面には、官能基としてメタクリロキシを有するシランカップリング剤による層を有することを特徴とする光学検査用窓を有する光学検査用ベース。
【請求項２】
前記回収炭素繊維は、炭素繊維強化プラスチック原料もしくは成形品を焼成処理し、マトリックスを除去して得たことを特徴とする請求項１に記載の光学検査用窓を有する光学検査用ベース。
【請求項３】
前記成形用合成樹脂材は、前記回収炭素繊維を５〜２０％含有することを特徴とする請求項１又は２に記載の光学検査用窓を有する光学検査用ベース。
【請求項４】
前記成形用合成樹脂材は、ガラス繊維又は／及び前記回収炭素繊維以外のカーボン素繊維を含有することを特徴とする請求項１から３のうちいずれか１項に記載の光学検査用窓を有する光学検査用ベース。
【請求項５】
前記回収炭素繊維の長さが３０〜６００μｍであり、前記回収炭素繊維のアスペクト比（回収炭素繊維長さ／回収炭素繊維直径）が４〜１００であることを特徴とする請求項１から４のうちいずれか１項に記載の光学検査用窓を有する光学検査用ベース。
【請求項６】
前記ガラス又は無機質結晶体を載置した金型内に前記成形用合成樹脂材を注入し、前記ガラス又は無機質結晶体と前記成形用合成樹脂材とをインサート成形により一体的に形成したことを特徴とする請求項１から５のうちいずれか１項に記載の光学検査用窓を有する光学検査用ベース。